(57)【要約】【課題】  簡易な構成で安価とすることができる光伝送システム等を提供する。【解決手段】  第１局１１０内の各光源部１１１ｎより出力された波長λｎ（ｎは１以上Ｎ以下の任意の整数。Ｎは２以上の整数。）の信号光は、光合波器１１２により合波されて、光増幅器１１３により一括増幅される。光増幅器１１３により増幅された波長λ１〜λＮの信号光は、光分波器１１４により第１チャンネル束Ｃｈ１と第２チャンネル束Ｃｈ２とに分波されて、第１チャンネル束Ｃｈ１の信号光が光ファイバ伝送路１３１へ送出され、第２チャンネル束Ｃｈ２の信号光が光ファイバ伝送路１３２へ送出される。光ファイバ伝送路１３１を伝搬した第１チャンネル束Ｃｈ１の信号光、および、光ファイバ伝送路１３２を伝搬した第２チャンネル束Ｃｈ２の信号光それぞれは、第２局１２０内の光合波器１２１に入力して、この光合波器１２１により合波され、光増幅器１２２により一括増幅される。【選択図】  図１
2010206701.tif 000002
【特許請求の範囲】
【請求項１】
高速・大容量の信号光を複数のチャンネルの信号光として伝送する光伝送システムであって、
前記複数のチャンネルの信号光を増幅して出力する光増幅手段と、
前記光増幅手段により増幅されて出力された複数のチャンネルの信号光を、第１チャンネル束と第２チャンネル束とに分波し、この分波した前記第１チャンネル束の信号光および前記第２チャンネル束の信号光を別々に出力する光分波手段と、
前記光分波手段より出力された前記第１チャンネル束の信号光を伝送する第１の光ファイバ伝送路と、
前記光分波手段より出力された前記第２チャンネル束の信号光を伝送する第２の光ファイバ伝送路と
を備えることを特徴とする光伝送システム。
【請求項２】
前記第１チャンネル束の各チャンネルと前記第２チャネル束の各チャンネルは、波長位置が交互に配置された関係となっていることを特徴とする請求項１記載の光伝送システム。
【請求項３】
前記光増幅手段は、前記複数のチャンネルの信号光を波長帯毎に増幅する複数の光増幅器を有し、
前記複数の光増幅器より出力された信号光を合波して、その合波した複数のチャンネルの信号光を前記光分波手段へ向けて出力する光合波器を備える
ことを特徴とする請求項２記載の光伝送システム。
【請求項４】
前記光増幅手段は、前記複数のチャンネルの信号光を個々の波長帯毎に増幅する複数の光増幅器を有し、
前記分波手段は、前記複数の光増幅器それぞれより出力された信号光を複数のインターリーバでそれぞれ波長帯毎に第１のチャネル束、第２のチャネル束に分波して、その分波した各チャネル束の信号光それぞれをチャネル束毎に合波する第１の合波器と第２の合波器とを備える
ことを特徴とする請求項２記載の光伝送システム。
【請求項５】
前記第１の光ファイバ伝送路および前記第２の光ファイバ伝送路それぞれの長手方向に沿った何れかの部分が共通の光ケーブル内に収納されていることを特徴とする請求項１記載の光伝送システム。
【請求項６】
前記光分波手段により分波された各チャネル束の信号光を出力する先の光ファイバ伝送路を切り替えるパス切替手段を備えることを特徴とする請求項２記載の光伝送システム。
【請求項７】
予備の光ファイバ伝送路を有し、
前記パス切替手段は、前記第１チャネル束と前記第２チャネル束の信号光のいずれかに異常が観測されたら、前記予備の光ファイバ伝送路に切り替えることを特徴とする請求項６記載の光伝送システム。
【請求項８】
前記光分波手段は、前記第１チャネル束と前記第２チャネル束のほかに第３チャネル束に分波し、前記第３チャネル束の信号光を別に出力し、
前記光分波手段より出力された前記第３チャネル束の信号光を伝送する第３の光ファイバ伝送路を有し、
前記第１チャネル束の信号光に異常が観測されたら、前記パス切替手段は、前記第1チャネル束の信号光の送出先を前記第２の光ファイバ伝送路または前記第３の光ファイバ伝送路どちらかの余裕のある方の光ファイバ伝送路へ切り替えることができることを特徴とする請求項６記載の光伝送システム。
【請求項９】
前記第１チャネル束の信号光は第１の波長帯に含まれ、前記第２チャネル束の信号光は前記第１の波長帯と異なる第２の波長帯に含まれることを特徴とする請求項１記載の光伝送システム。
【請求項１０】
前記光分波手段により分波された各波長帯の信号光を出力する先の光ファイバ伝送路を切り替えるパス切替手段を備えることを特徴とする請求項９記載の光伝送システム。
【請求項１１】
予備の光ファイバ伝送路を有し、
前記パス切替手段は、前記第１チャネル束と前記第２チャネル束の信号光のいずれかに異常が観測されたら、前記予備の光ファイバ伝送路に切り替えることを特徴とする請求項９記載の光伝送システム。
【請求項１２】
前記光分波手段は、前記第１チャネル束と前記第２チャネル束の他に第３チャネル束の信号光を分波・出力し、
前記光分波手段より出力された前記第３チャネル束の信号光を伝送する第３の光ファイバ伝送路を有し、
前記第１チャネル束の信号光に異常が観測されたら、前記パス切替手段は、前記第１チャネル束の信号光の送出先を前記第２の光ファイバ伝送路および前記第３の光ファイバ伝送路のうちの一つに切り替えることができることを特徴とする請求項９記載の光伝送システム。
【発明の詳細な説明】
【技術分野】
【０００１】
本発明は、多波長の信号光を多重化して光ファイバ伝送路に伝送させる光伝送システムおよび光伝送方法に関するものである。
【背景技術】
【０００２】
波長分割多重（ＷＤＭ: Wavelength DivisionMultiplexing）光伝送システムは、多波長の信号光を多重化して光ファイバ伝送路に伝送させるものであり、大容量の情報を高速に送受信することができる。また、光伝送システムでは、光ファイバ伝送路を伝送する間に信号光が被る損失を補償するために、信号光を増幅する光増幅器が用いられる。
【０００３】
例えば、特許文献１に開示された発明では、光空間スイッチの入力側および出力側それぞれに接続される各光ファイバ伝送路に対して光増幅器が設けられている。すなわち、入力側の光ファイバ伝送路を伝搬してきた多波長のＷＤＭ信号光は、その光ファイバ伝送路に対応して設けられた光増幅器により増幅された後に光空間スイッチに入力する。また、光空間スイッチによりパスが切り替えられて合波され出力された同一波長のＴＤＭ信号光は、出力側の光ファイバ伝送路へ送出される前に、その光ファイバ伝送路に対応して設けられた光増幅器により増幅される。これにより、波長分割多重伝送であった光信号が、時分割多重伝送の光信号として、別の光ファイバに伝送される。
【０００４】
また、特許文献２に開示された発明は、光パスクロスコネクト装置により、回線等に障害が発生するなどの回線の変更が必要なときに、一部の波長の信号光の波長を変え、信号光のパスを切り替えるものである。問題がなければ、基本的に、同じ光信号を同じ光伝送路で伝送させている。また、特許文献３に開示された発明は、ＷＤＭ伝送において、トラフィックの変動に応じて動的にノード間光パスの波長を割り当てる際に、ノード間の伝送距離もしくはノード間の光増幅器の数に応じて割り当てる波長数を変えるというものである。
【０００５】
ＤＷＤＭ光伝送では、１本の光ファイバ伝送路で伝送し得る信号光の波数の増加（すなわち多重化度の向上）を図るべく種々の研究開発が行われている。例えば、非特許文献１では、１００チャネルの信号を高密度化（チャネル間隔を５０ＧＨｚ）し、Ｃバンド＋Ｌバンドといった広帯域の波長域で、４００ｋｍ長を伝送する伝送システムの事例の紹介があった。このシステムでは、Ｃ、Ｌ両バンドで一括増幅する超広帯域の増幅器を９０ｋｍ〜２００ｋｍの間隔で４台配置することで、大容量の光通信を達成している。
【先行技術文献】
【特許文献】
【０００６】
【特許文献１】特開平８−２８８９０５号公報
【特許文献２】特開２０００−１１５１３３号公報
【特許文献３】特開２０００−１７４７３０号公報
【非特許文献】
【０００７】
【非特許文献１】A. K.Srivastava, et al., "1 Tb/s Transmission of 100 WDM 10 Gb/s Channels Over400km of TrueWaveTM Fiber", OFC'98, PD10 (1998)
【発明の概要】
【発明が解決しようとする課題】
【０００８】
光増幅器を使用する必要がある光通信システムにおいて、波長多重を採用しつつ、送信する信号の大容量化を実現するためには、種々の問題が想定される。まず、使用する光増幅器の増幅帯域によって信号の存在する波長帯域が制限される。信号の存在する波長帯域をさらに拡大するためには、増幅帯域の異なる複数の光増幅器を使用する。使用する光増幅器により増幅帯域が特定の波長域に決められている場合、さらに、大容量化を目指す場合には、チャンネル数を増やしたり、１チャンネル当りのビットレートを上げる方向に進むことになる。しかし、ケーブルなどに収納して使用される1本の光ファイバ伝送路を用い、１チャンネル当りのビットレートを上げる場合には、通常、そのチャンネルの占有帯域も拡大させる必要がある。チャンネル数を増やしつつ、かつ、ビットレートを上げると、結局、増幅帯域の制限の問題が生じることになる。
【０００９】
チャンネル間隔が狭くなると、光ファイバ中の非線形現象、特に四光波混合により、波長多重伝送信号の伝送特性の劣化が起こる。このため、入力パワーを上げられない、スパン長を長く出来ない、といった制限が生じることになる。上記の問題を解決しようとすると、光増幅器の伝送路上の間隔、いわゆるスパン長を短くする、または、高価な光信号処理機器を用い、複雑な信号処理を行い、スパン長を維持したまま、光信号に要求される品質特性を向上させる、といった対応が求められることになる。
【００１０】
本発明は、上記問題点を解消する為になされたものであり、簡易な構成とすることができる光伝送システムおよび光伝送方法を提供することを目的とする。
【課題を解決するための手段】
【００１１】
本発明に係る光伝送システムは、(1) 複数のチャンネルの信号光を増幅して出力する光増幅手段と、(2) 光増幅手段から出力された複数のチャンネルの信号光を入力して第１チャネル束と第２チャネル束とに分波し、この分波した第１チャネル束の信号光および第２チャネル束の信号光を別々に出力する光分波手段と、(3)光分波手段より出力された第１チャネル束の信号光を伝送する第１の光ファイバ伝送路と、(4) 光分波手段より出力された第２チャネル束の信号光を伝送する第２の光ファイバ伝送路とを備えることを特徴とし、高速・大容量の信号光を複数のチャンネルの信号光として伝送する。
【００１２】
本発明に係る光伝送システムによれば、多波長の信号光が光増幅手段により一括増幅された後に、これらの多波長の信号光が光分波手段により第１チャネル束と第チャネル束とに分波されて、その分波された第１チャネル束の信号光が第１の光ファイバ伝送路に伝送され、第２チャネル束の信号光が第２の光ファイバ伝送路に伝送される。これにより、光信号に要求される負荷が軽減され、簡易で安価なシステム構成とすることができる。
【００１３】
本発明に係る光伝送システムは、第１チャンネル束の各チャンネルと第２チャネル束の各チャンネルは、波長位置が交互に配置された関係となっているのが好適である。この場合には、特に高密度ＷＤＭ光伝送を行うときに、波長域が隣接する信号光の非線形現象による劣化を回避することができる。
【００１４】
本発明に係る光伝送システムは、(1) 光増幅手段が複数のチャンネルの信号光を波長帯毎に増幅する複数の光増幅器を有し、(2) これら複数の光増幅器より出力された信号光を合波して、その合波した多波長の信号光を光分波手段へ向けて出力する光合波器を備えるのが好適である。この構成は、信号送出端における局の場合の構成である。なお、中継局の場合では、各チャネル束の信号光を合波した後、各波長帯に分波するという事前処理を行うのが好適である。他の光増幅の形態としては、(1)光増幅手段が複数のチャンネルの信号光を個々の波長帯毎に増幅する複数の光増幅器を有し、(2)分波手段が前記複数の光増幅器それぞれより出力された信号光を複数のインターリーバでそれぞれ波長帯毎に第１のチャネル束、第２のチャネル束に分波して、その分波した各チャネル束の信号光それぞれをチャネル束毎に合波する第１の合波器と第２の合波器とを備えるのが好適である。この構成は、信号送出端における局の場合の構成である。中継局の場合では、チャネル束毎に各波長帯に分波し、その後各波長帯毎に、各チャネル束の信号光を合波するという事前処理を行うのが好適である。これらの態様により、信号光波長帯域が拡大されて、一つの光増幅器だけでは対応が難しい場合でも、大容量の情報を増幅することができる。
【００１５】
本発明に係る光伝送システムは、第１の光ファイバ伝送路および第２の光ファイバ伝送路それぞれの長手方向に沿った何れかの部分が共通の光ケーブル内に収納されているのが好適である。この場合には、上記のような光伝送システムを構築する際に別に新たな光ケーブルを敷設する必要がないので、この点でも光伝送システムは安価なものとなる。
【００１６】
本発明に係る光伝送システムは、光分波手段により分波された各チャネル束の信号光を出力する先の光ファイバ伝送路を切り替えるパス切替手段を備えるのが好適である。この場合には、光分波手段により分波された各チャネル束の信号光が出力される先の光ファイバ伝送路はパス切替手段により切り替えられる。これにより、例えば、何れかの光ファイバ伝送路において断線等の異常が発生したときに、その異常が発生した光ファイバ伝送路へそれまで送出されていた波長域の信号光は、パス切替器におけるパス切り替えにより、以降は他の正常な光ファイバ伝送路へ送出される。したがって、リスク分散の点で好適であるだけでなく、リスク回避の点でも好適である。
【００１７】
本発明に係る光伝送システムでは、予備の光ファイバ伝送路を有し、パス切替手段は、第１チャネル束と第２チャネル束の信号光のいずれかに異常が観測されたら、予備の光ファイバ伝送路に切り替えることができるのが好適である。この場合には、その特定チャネル束の信号光に関連するシステム状況に応じて、その特定チャネル束の信号光に適切な光ファイバ伝送路を選択することができるので、安定した伝送品質を確保することができる。
【００１８】
本発明に係る光伝送システムでは、光分波手段は、第１チャネル束と第２チャネル束の他に第３チャネル束に分波し、第３チャネル束の信号光を別に出力し、光分波手段より出力された第３チャネル束の信号光を伝送する第３の光ファイバ伝送路を有し、前記第１チャネル束の信号光に異常が観測されたら、前記パス切替手段は、前記第1チャネル束の信号光の送出先を前記第２の光ファイバ伝送路または前記第３の光ファイバ伝送路どちらかの余裕のある方の光ファイバ伝送路へ切り替えることができるのが好適である。第１の光ファイバ伝送路に起因して、第１チャネル束の信号光に異常が観測された場合の対応として、現在用いられている他の光ファイバ伝送路（例えば、第２の光ファイバ伝送路または第３の光ファイバ伝送路）を活用して、異常を回避する。また、複数の光ファイバ伝送路のうち何れかが断線した場合にも、他の光ファイバ伝送路に信号光を伝送させることができるので、リスク分散の点でも好適である。
【００１９】
本発明に係る光伝送システムは、光分波手段により、光増幅手段より出力された多波長の信号光を、所定波長より短い第１波長域と、所定波長より長い第２波長域とに分波するのが好適である。この場合には、光分波手段が簡易な構成で安価である。また、本実施形態のように複数の光ファイバ伝送路それぞれに分担させて信号光を伝送させることにより、第１波長域および第２波長域それぞれにおける全波長の信号光を１本の伝送路で伝送する場合に発生する可能性のある波長の信号光間での誘導ラマン散乱に因るラマンゲインチルトの発生を抑制することができる。
【００２０】
本発明に係る光伝送システムは、複数の光ファイバ伝送路のうち何れかが断線の場合、パス切替手段により特定の波長域の信号光の出力先の光ファイバ伝送路を切り替えることができるのが好適である。この場合には、その特定チャンネル束の信号光に関連するシステム状況に応じて、その特定チャンネル束の信号光に適切な光ファイバ伝送路を選択することができるので、安定した伝送品質を確保することができる。
【００２１】
本発明に係る光伝送システムは、予備の光ファイバ伝送路を有し、パス切替手段は、第１チャネル束と第２チャネル束の信号光のいずれかに異常が観測されたら、予備の光ファイバ伝送路に切り替えることができるのが好適である。この場合には、予備の光ファイバ伝送路を使用することで、一つのチャネル束に異常が生じても、他のチャネル束の伝送品質に影響を与えずに、安定した伝送品質を確保することができる。
【００２２】
本発明に係る光伝送システムは、光分波手段は、第１チャネル束と第２チャネル束の他に第３チャネル束の信号光を分波・出力し、光分波手段より出力された第３チャネル束の信号光を伝送する第３の光ファイバ伝送路を有し、パス切替手段は、第３チャネル束の信号光に異常が観測されたら、第１の光ファイバ伝送路および第２の光ファイバ伝送路のうちの少なくとも一つに、第３チャネル束の信号光の送出先を切り替えることができるのが好適である。この場合には、予備の光ファイバ伝送路を準備する必要がない。
【発明の効果】
【００２３】
以上、詳細に説明したとおり、本発明によれば、多波長の信号光が光増幅手段により一括増幅された後に、これらの多波長の信号光が光分波手段により第１チャンネル束と第２チャンネル束とに分波されて、その分波された第１チャンネル束の信号光が第１の光ファイバ伝送路に伝送され、第２チャンネル束の信号光が第２の光ファイバ伝送路に伝送される。これにより、簡易なシステム構成で安価とすることができ、また、制御系を簡便なものとすることができる。
【図面の簡単な説明】
【００２４】
【図１】第１実施形態に係る光伝送システム１の構成図である。
【図２】第１実施形態に係る光伝送システム１および光伝送方法における光分波器１１４による多波長信号光の分波の１例について説明する図である。
【図３】第１実施形態に係る光伝送システム１および光伝送方法における光分波器１１４による多波長信号光の分波の他の１例について説明する図である。
【図４】第２実施形態に係る光伝送システム２の構成図である。
【図５】第２実施形態に係る光伝送システム２の第２局２２０の構成図である。
【図６】第２実施形態に係る光伝送システム２の第２局２２０の他の構成を示す図である。
【図７】第３実施形態に係る光伝送システム３の構成図である。
【図８】第３実施形態に係る光伝送システム３における各波長域を説明する図である。
【発明を実施するための形態】
【００２５】
以下、添付図面を参照して、本発明を実施するための形態を詳細に説明する。なお、図面の説明において同一の要素には同一の符号を付し、重複する説明を省略する。
【００２６】
（第１実施形態）
【００２７】
先ず、本発明に係る光伝送システムおよび光伝送方法の第１実施形態について説明する。図１は、第１実施形態に係る光伝送システム１の構成図である。この図に示される光伝送システム１は、第１局１１０と第２局１２０との間に光ファイバ伝送路１３１および光ファイバ伝送路１３２が敷設されたものである。第１局１１０内には、Ｎ個（Ｎは２以上の整数。以下同様。）の光源部１１１１〜１１１Ｎ、光合波器１１２、光増幅器１１３および光分波器１１４が設けられている。第２局１２０内には、光合波器１２１および光増幅器１２２が設けられている。なお、光ファイバ伝送路１３１および光ファイバ伝送路１３２は、長手方向の何れかの部分が共通の光ケーブル内に収納されている。
【００２８】
第１局１１０内の各光源部１１１ｎは波長λｎの信号光を出力する（ｎは１以上Ｎ以下の任意の整数。以下同様。）。光合波器１１２は、各光源部１１１ｎより出力された波長λｎの信号光を入力し、これらを合波して光増幅器１１３へ出力する。光増幅器１１３は、光合波器１１２により合波されて出力された波長λ１〜λＮの信号光を入力し、これらを一括増幅して光分波器１１４へ出力する。そして、光分波器１１４は、光増幅器１１３により増幅されて出力された波長λ１〜λＮの信号光を入力し、これらを第１チャンネル束Ｃｈ１と第２チャンネル束Ｃｈ２とに分波して、第１チャンネル束Ｃｈ１の信号光を光ファイバ伝送路１３１へ送出するとともに、第２チャンネル束Ｃｈ２の信号光を光ファイバ伝送路１３２へ送出する。
【００２９】
第２局１２０内の光合波器１２１は、光ファイバ伝送路１３１を伝搬してきて到達した第１チャンネル束Ｃｈ１の信号光を入力するとともに、光ファイバ伝送路１３２を伝搬してきて到達した第２チャンネル束Ｃｈ２の信号光をも入力して、これらを合波して光増幅器１２２へ出力する。光増幅器１２２は、光合波器１２１により合波されて出力された波長λ１〜λＮの信号光を入力し、これらを一括増幅して出力する。
【００３０】
なお、波長λ１〜λＮそれぞれは、互いに異なっており、例えばＣバンドまたはＬバンドに含まれる。また、この場合には、光増幅器１１３および光増幅器１２２それぞれは、光導波領域にＥｒ元素が添加された光ファイバ（ＥＤＦ: Erbium Doped Fiber）を光増幅媒体として含み、このＥＤＦに励起光（波長０．９８μｍ帯または１．４８μｍ帯）を供給することで、このＥＤＦにおいて信号光を増幅するＥＤＦＡ（ErbiumDoped Fiber Amplifier）であるのが好適である。
【００３１】
次に、第１実施形態に係る光伝送システム１の動作を説明するとともに、第１実施形態に係る光伝送方法についても説明する。第１局１１０内の各光源部１１１ｎより出力された波長λｎの信号光は、光合波器１１２により合波されて、光増幅器１１３により一括増幅される。光増幅器１１３により増幅された波長λ１〜λＮの信号光は、光分波器１１４により第チャンネル束Ｃｈ１と第２チャンネル束Ｃｈ２とに分波されて、第１チャンネル束Ｃｈ１の信号光が光ファイバ伝送路１３１へ送出され、第２チャンネル束Ｃｈ２の信号光が光ファイバ伝送路１３２へ送出される。光ファイバ伝送路１３１を伝搬した第１チャンネル束Ｃｈ１の信号光、および、光ファイバ伝送路１３２を伝搬した第２チャンネル束Ｃｈ２の信号光それぞれは、第２局１２０内の光合波器１２１に入力して、この光合波器１２１により合波され、光増幅器１２２により一括増幅される。そして、光増幅器１２２より出力された多波長の信号光は、例えば、更に後段の光ファイバ伝送路へ送出されるか、或いは、第２局１２０内で波長毎に分波されて受信される。なお、チャンネル束は、所定の波長帯のチャンネル群全体を指すものであっても、個々のチャンネルが離散したチャンネル群全体を指すものであっても良い。
【００３２】
図２は、第１実施形態に係る光伝送システム１および光伝送方法における光分波器１１４による多波長信号光の分波の１例について説明する図である。同図（ａ）は、光分波器１１４に入力する各信号光の波長を示す。同図（ｂ）は、光分波器１１４より光ファイバ伝送路１３１へ送出される第１チャンネル束Ｃｈ１（第１波長域Λ１）に含まれる各信号光の波長を示す。また、同図（ｃ）は、光分波器１１４より光ファイバ伝送路１３２へ送出される第２チャンネル束Ｃｈ２（第２波長域Λ２）に含まれる各信号光の波長を示す。ここでは、Ｎ＝８とし、λ１＜λ２＜λ３＜λ４＜λ５＜λ６＜λ７＜λ８とした。この図に示される分波の例では、光増幅器１１３より出力された波長λ１〜λ８の信号光は、或る所定波長より短い第１波長域Λ１（波長λ１〜λ４を含む）と、この所定波長より長い第２波長域Λ２（波長λ５〜λ８を含む）とに分波される。なお、説明の都合上、８波の例を用いて説明したが、本願発明では、数十波以上の高密度での波長多重伝送を想定している。
【００３３】
図３は、第１実施形態に係る光伝送システム１および光伝送方法における光分波器１１４による多波長信号光の分波の他の１例について説明する図である。同図（ａ）は、光分波器１１４に入力する各信号光の波長を示す。同図（ｂ）は、光分波器１１４より光ファイバ伝送路１３１へ送出される第１チャンネル束Ｃｈ１に含まれる各信号光の波長を示す。また、同図（ｃ）は、光分波器１１４より光ファイバ伝送路１３２へ送出される第２チャンネル束Ｃｈ２に含まれる各信号光の波長を示す。ここでも、Ｎ＝８とし、λ１＜λ２＜λ３＜λ４＜λ５＜λ６＜λ７＜λ８とした。この図に示される分波の例では、光増幅器１１３より出力された波長λ１〜λ８の信号光は、不連続な複数の部分波長域を含む第１チャンネル束Ｃｈ１（波長λ１，λ３，λ５およびλ７を含む）と、これらの間にある他の不連続な複数の部分波長域を含む第２チャンネル束Ｃｈ２（波長λ２，λ４，λ６およびλ８を含む）とに分波される。なお、説明の都合上、８波の例を用いて説明したが、本願発明では、数十波以上の高密度での波長多重伝送を想定している。
【００３４】
以上のように本実施形態に係る光伝送システム１および光伝送方法によれば、１つの光増幅器１１３により多波長の信号光が一括増幅された後に、その多波長の信号光が光分波器１１４により第１チャンネル束Ｃｈ１と第２チャンネル束Ｃｈ２とに分波され、第１チャンネル束Ｃｈ１の信号光が光ファイバ伝送路１３１へ送出されるとともに、第２チャンネル束Ｃｈ２の信号光が光ファイバ伝送路１３２へ送出される。これにより、本実施形態に係る光伝送システム１は、簡易な構成で安価なものとすることができ、また、制御系を簡便なものとすることができる。
【００３５】
また、共通の光ケーブル内に収納されている光ファイバ伝送路１３１および光ファイバ伝送路１３２が用いられる場合には、上記のような光伝送システムを構築する際に別に新たな光ケーブルを敷設する必要がないので、この点でも光伝送システムは安価なものとなる。
【００３６】
図２を用いて説明したように多チャンネルの信号光が光分波器１１４により第１波長域Λ１（波長λ１〜λ４を含む）と第２波長域Λ２（波長λ５〜λ８を含む）と異なる波長域に分波される場合には、光分波器１１４が簡易な構成で安価である。本実施形態のように複数の光ファイバ伝送路それぞれに分担させて信号光を伝送させることにより、全波長の信号光を１本の伝送路で伝送する場合に発生する可能性のある波長（例えば、λ1とλ8の）信号光間での誘導ラマン散乱に因るラマンゲインチルトの発生を抑制することができる。また、複数の光ファイバ伝送路に分散させて伝送するので、断線のリスクが低減され、予備の光ファイバ伝送路を有し、何れかが断線した場合に、予備の光ファイバ伝送路へ切り替えることができるのであれば、さらにリスク分散の点でも好適である。波長域ごとに伝送に最適の光ファイバ伝送路を使用することにより、光信号に要求される品質特性が緩和され、光信号処理機器への負荷が減少することになる。
【００３７】
図３を用いて説明したように多波長の信号光が光分波器１１４により第１チャンネル束Ｃｈ１（波長λ１，λ３，λ５およびλ７を含む）と第２チャンネル束Ｃｈ２（波長λ２，λ４，λ６およびλ８を含む）とに分波される場合には、特に高密度ＷＤＭ光伝送を行うときに、隣接する信号光波長間における４光波混合などの非線形劣化を回避することができるので好適である。
【００３８】
また、光増幅器１１３および光増幅器１２２それぞれとしてＥＤＦＡが用いられる場合には、光分波器１１４が簡易な構成で安価である。図２対比で、限定された波長域かつ高チャンネル密度で信号光を増幅する場合には、これらの光増幅器１１３，１２２は、波長域当たりの価格が安価であり、高チャンネル密度の信号光を一つの増幅器で増幅することができるので、複数波長帯域で増幅するより有利である。また、伝送波長域が同じであり、光ファイバ伝送路は同じ種類の光ファイバを使用可能であり、光ファイバ伝送路に異常が発生する場合には、光ケーブル内の他の予備の光ファイバ伝送路を使用すればよく、安全である。また、低チャンネル密度で信号光を伝送する方が、光ファイバ伝送路は、必要とする数は増加するが、光ファイバ伝送路のスパン長を長くすることができることにより、中継器の数を減らすことができ、光伝送システムとしては好適である。光ファイバ伝送路に伝送する信号光のチャンネル密度を低減すること可能になり、光信号に要求される品質特性が緩和され、光信号処理機器への負荷が減少することになり、光伝送システムとしては好適である。
【００３９】
（第２実施形態）
【００４０】
次に、本発明に係る光伝送システムおよび光伝送方法の第２実施形態について説明する。図４は、第２実施形態に係る光伝送システム２の構成図である。この図に示される光伝送システム２は、第１局２１０と第２局２２０との間に光ファイバ伝送路２３１〜２３３が敷設されたものである。図５は、第２実施形態に係る光伝送システム２の第２局２２０の構成図である。
【００４１】
第１局２１０内には、Ｎ個の光源部２１１１〜２１１Ｎ、光合波器２１２、光増幅器２１３、光分波器２１４およびパス切替器２１５が設けられている。第２局２２０内には、光合波器２２１、光増幅器２２２および光分波器２２３が設けられている。また、光ファイバ伝送路２３１〜２３３それぞれの長手方向に沿った何れかの部分が共通の光ケーブル内に収納されている。
【００４２】
第１局２１０内の各光源部２１１ｎは波長λｎの信号光を出力する（ｎは１以上Ｎ以下の任意の整数。以下同様。）。光合波器２１２は、各光源部２１１ｎより出力された波長λｎの信号光を入力し、これらを合波して光増幅器２１３へ出力する。光増幅器２１３は、光合波器２１２により合波されて出力された波長λ１〜λＮの信号光を入力し、これらを一括増幅して光分波器２１４へ出力する。光分波器２１４は、光増幅器２１３により増幅されて出力された波長λ１〜λＮの信号光を入力し、これらを第１チャンネル束Ｃｈ１と第２チャンネル束Ｃｈ２と第３チャンネル束Ｃｈ３とに分波して、各々のチャンネル束の信号光をパス切替器２１５へ出力する。そして、パス切替器２１５は、光分波器２１４により分波されて出力された第１チャンネル束Ｃｈ１，第２チャンネル束Ｃｈ２および第３チャンネル束Ｃｈ３それぞれの信号光を入力し、各チャンネル束の信号光を送出すべき光ファイバ伝送路を光ファイバ伝送路２３１〜２３３のうちから選択して、その選択した光ファイバ伝送路へ各チャンネル束の信号光を送出する。
【００４３】
第２局２２０内の光合波器２２１は、光ファイバ伝送路２３１〜２３３それぞれを伝搬してきて到達した各チャンネル束の信号光を入力して、これらを合波して光増幅器２２２へ出力する。光増幅器２２２は、光合波器２２１により合波されて出力された波長λ１〜λＮの信号光を入力し、これらを一括増幅して光分波器２２３へ出力する。そして、光分波器２２３は、光増幅器２２２により増幅されて出力された波長λ１〜λＮの信号光を入力し、これらを第１チャンネル束Ｃｈ１と第２チャンネル束Ｃｈ２と第３チャンネル束Ｃｈ３とに分波して、第１チャンネル束Ｃｈ１の信号光を光ファイバ伝送路２４１へ送出し、第２チャンネル束Ｃｈ２の信号光を光ファイバ伝送路２４２へ送出し、第３チャンネル束Ｃｈ３の信号光を光ファイバ伝送路２４３へ送出する。
【００４４】
なお、波長λ１〜λＮそれぞれは、互いに異なっており、例えばＣバンドまたはＬバンドに含まれる。また、この場合には、光増幅器２１３および光増幅器２２２それぞれは、ＥＤＦを光増幅媒体として含むＥＤＦＡであるのが好適である。また、第１チャンネル束Ｃｈ１，第２チャンネル束Ｃｈ２および第３チャンネル束Ｃｈ３それぞれは、図２に示された場合と同様に、或る所定波長を境にして区分される波長域であってもよい。この場合、各波長の大小関係を λ１＜λ２＜λ３＜…＜λＮとすると、例えば、第１波長域Λ１には波長λ１〜λｐが含まれ、第２波長域Λ２には波長λｐ＋１〜λｑが含まれ、第３波長域Λ３には波長λｑ＋１〜λＮが含まれる（ただし、ｐ＜ｑ＜Ｎ。）。或いは、図３に示された場合と同様に、不連続な複数の部分波長域を含むものであってもよい。この場合、各波長の大小関係をλ１＜λ２＜λ３＜…＜λＮ とすると、例えば、第１チャンネル束Ｃｈ１には波長λ４ｍ＋１が含まれ、第２チャンネル束Ｃｈ２には波長λ４ｍ＋３が含まれ、第３チャンネル束Ｃｈ３にはチャンネル束Ｃｈ３１(波長λ４ｍ＋２)およびチャンネル束Ｃｈ３2(λ４ｍ＋４)が含まれる。ただし、ｍは０以上(Ｎ／４)未満の各整数である。
【００４５】
次に、第２実施形態に係る光伝送システム２の動作を説明するとともに、第２実施形態に係る光伝送方法についても説明する。第１局２１０内の各光源部２１１ｎより出力された波長λｎの信号光は、光合波器２１２により合波されて、光増幅器２１３により一括増幅される。光増幅器２１３により増幅された波長λ１〜λＮの信号光は、光分波器２１４により第１チャンネル束Ｃｈ１と第２チャンネル束Ｃｈ２と第３チャンネル束Ｃｈ３とに分波される。そして、光分波器２１４により分波された各チャンネル束の信号光は、パス切替器２１５を経て光ファイバ伝送路２３１〜２３３の何れかへ送出される。
【００４６】
パス切替器２１５におけるパス設定により、第１チャンネル束Ｃｈ１の信号光に異常がみとめられるときや光ファイバ伝送路２３１に不具合があるときには、例えば、第１チャンネル束Ｃｈ１(λ４ｍ＋１)および第２チャンネル束Ｃｈ２(λ４ｍ＋3)それぞれの信号光は光ファイバ伝送路２３２へ送出され、第３チャンネル束Ｃｈ３の信号光は光ファイバ伝送路２３３へ送出される。また、光ファイバ伝送路２３１の不具合が解消されたときには、パス切替器２１５におけるパス切替により、例えば、それまで光ファイバ伝送路２３２へ送出されていた第１チャンネル束Ｃｈ１の信号光は、切替以降は光ファイバ伝送路２３１へ送出される。また、予備の光ファイバ伝送路があるときには、不具合のある光ファイバ伝送路に伝送していた信号光を、パス切替器２１５で予備の伝送路へ変更するという対応でも良い。また、第３チャンネル束Ｃｈが、光ファイバ伝送路２３３へ伝送するケースで、不具合があり、チャンネル束Ｃｈ３2だけを予備の光ファイバ伝送路を切り替えて使用すれば良い場合にも、使用可能である。
【００４７】
光ファイバ伝送路２３１〜２３３の何れかを伝搬した各チャンネル束の信号光は、第２局２２０内の光合波器２２１に入力して、この光合波器２２１により合波され、光増幅器２２２により一括増幅される。光増幅器２２２より出力された多波長の信号光は、光分波器２２３により第１チャンネル束Ｃｈ１と第２チャンネル束Ｃｈ２と第３チャンネル束Ｃｈ３とに分波されて、第１チャンネル束Ｃｈ１の信号光が光ファイバ伝送路２４１へ送出され、第２チャンネル束Ｃｈ２の信号光が光ファイバ伝送路２４２へ送出され、第３チャンネル束Ｃｈ３の信号光が光ファイバ伝送路２４３へ送出される。
【００４８】
なお、第２局２２０の構成は他の態様もあり得る。図６は、第２実施形態に係る光伝送システム２の第２局２２０の他の構成を示す図である。この図に示される第２局２２０内には、光合波器２２４、光増幅器２２５１、光増幅器２２５２、光分波器２２６および受光部２２７が設けられている。光合波器２２４は、光ファイバ伝送路２３２および光ファイバ伝送路２３３それぞれを伝搬してきて到達した各チャンネル束の信号光を入力して、これらを合波して光増幅器２２５２へ出力する。光増幅器２２５２は、光合波器２２４により合波されて出力された多波長の信号光を入力し、これらを一括増幅して光分波器２２６へ出力する。そして、光分波器２２６は、光増幅器２２５２により増幅されて出力された多波長の信号光を入力し、これらを各チャンネル束に分波して光ファイバ伝送路２４２および光ファイバ伝送路２４３の何れかへ送出する。また、光増幅器２２５１は、光ファイバ伝送路２３１を伝搬してきて到達した波長域の信号光を入力して、これらを一括増幅して受光部２２７へ出力する。そして、受光部２２７は、光増幅器２２５１により増幅されて出力された多波長の信号光を入力し、これらを波長毎に分波して受光する。
【００４９】
第２実施形態に係る光伝送システム２および光伝送方法は、第１実施形態のものが奏する効果と同様の効果を奏するほか、以下のような効果をも奏する。すなわち、第２実施形態では、第１局２１０内に設けられたパス切替器２１５により、各チャンネル束の信号光が送出されるべき光ファイバ伝送路が光ファイバ伝送路２３１〜２３３のうちから選択されて、その選択した光ファイバ伝送路へ各チャンネル束の信号光が送出される。例えば、光ファイバ伝送路２３１〜２３３のうちの何れかの光ファイバ伝送路において断線等の異常が発生したときに、その異常が発生した光ファイバ伝送路へそれまで送出されていたチャンネル束の信号光は、パス切替器２１５におけるパス切替により、他の正常な光ファイバ伝送路へ送出される。したがって、本実施形態に係る光伝送システム２および光伝送方法は、リスク分散の点で好適であるだけでなく、リスク回避の点でも好適である。
【００５０】
また、パス切替手段２１５は、特定チャンネル束の信号光を出力する先の光ファイバ伝送路を切り替えることができるのが好適である。この場合には、その特定チャンネル束の信号光に関連するシステム状況に応じて、その特定チャンネル束の信号光に適切な光ファイバ伝送路を選択することができるので、安定した伝送品質を確保することができる。例えば、非線形劣化に因り伝送特性が劣化したチャンネル束の信号光を非線形劣化の少ない他の光ファイバ伝送路に伝送させることにより、常に安定した伝送品質を確保することができる。
【００５１】
（第３実施形態）
【００５２】
次に、本発明に係る光伝送システムおよび光伝送方法の第３実施形態について説明する。図７は、第３実施形態に係る光伝送システム３の構成図である。この図に示される光伝送システム３は、第１局３１０と第２局３２０との間に光ファイバ伝送路３３１および光ファイバ伝送路３３２が敷設されたものである。第１局３１０内には、Ｍ個（Ｍは２以上の整数。以下同様。）のＣバンド用光源部３１１Ｃ，１〜３１１Ｃ，Ｍ、Ｎ個（Ｎは２以上の整数。以下同様。）のＬバンド用光源部３１１Ｌ，１〜３１１Ｌ，Ｎ、Ｃバンド用光合波器３１２Ｃ、Ｌバンド用光合波器３１２Ｌ、Ｃバンド用光増幅器３１３Ｃ、Ｌバンド用光増幅器３１３Ｌ、光合波器３１４および光分波器３１５が設けられている。また、光ファイバ伝送路３３１および光ファイバ伝送路３３２それぞれの長手方向に沿った何れかの部分が共通の光ケーブル内に収納されているのが好適である。
【００５３】
第１局３１０内の各光源部３１１Ｃ，ｍは波長λＣ，ｍの信号光を出力する（ｍは１以上Ｍ以下の任意の整数。以下同様。）。光合波器３１２Ｃは、各光源部３１１Ｃ，ｍより出力された波長λＣ，ｍの信号光を入力し、これらを合波して光増幅器３１３Ｃへ出力する。そして、光増幅器３１３Ｃは、光合波器３１２Ｃにより合波されて出力された波長λＣ，１〜λＣ，Ｍの信号光を入力し、これらを一括増幅して光合波器３１４へ出力する。なお、波長λＣ，１〜λＣ，Ｍそれぞれは、互いに異なっており、ＣバンドΛＣに含まれる。光増幅器３１３Ｃは、ＥＤＦを光増幅媒体として含むＥＤＦＡであるのが好適である。
【００５４】
また、各光源部３１１Ｌ，ｎは波長λＬ，ｎの信号光を出力する（ｎは１以上Ｎ以下の任意の整数。以下同様。）。光合波器３１２Ｌは、各光源部３１１Ｌ，ｎより出力された波長λＬ，ｎの信号光を入力し、これらを合波して光増幅器３１３Ｌへ出力する。そして、光増幅器３１３Ｌは、光合波器３１２Ｌにより合波されて出力された波長λＬ，１〜λＬ，Ｎの信号光を入力し、これらを一括増幅して光合波器３１４へ出力する。なお、波長λＬ，１〜λＬ，Ｎそれぞれは、互いに異なっており、ＬバンドΛＬに含まれる。光増幅器３１３Ｌは、ＥＤＦを光増幅媒体として含むＥＤＦＡであるのが好適である。
【００５５】
光合波器３１４は、光増幅器３１３Ｃにより増幅されて出力された波長λＣ，１〜λＣ，Ｍの信号光を入力するとともに、光増幅器３１３Ｌにより増幅されて出力された波長λＬ，１〜λＬ，Ｎの信号光を入力し、これらを合波して光分波器３１５へ出力する。光分波器３１５は、光合波器３１４により合波されて出力された多波長λＣ，１〜λＣ，ＭおよびλＬ，１〜λＬ，Ｎの信号光を入力し、これらを第１チャンネル束Ｃｈ１と第２チャンネル束Ｃｈ２とに分波して、第１チャンネル束Ｃｈ１の信号光を光ファイバ伝送路３３１へ送出するとともに、第２チャンネル束Ｃｈ２の信号光を光ファイバ伝送路３３２へ送出する。
【００５６】
第２局３２０では、光ファイバ伝送路３３１を伝搬してきて到達した第１チャンネル束Ｃｈ１の信号光を入力するとともに、光ファイバ伝送路３３２を伝搬してきて到達した第２チャンネル束Ｃｈ２の信号光をも入力して、これらを合波した後に、波長帯毎に分波し、第１局３１０と同様に波長帯毎に一括増幅する。そして、第２局３２０では、例えば、この波長帯毎に一括増幅した多波長の信号光を波長毎に分波して受光する。また、第２局３２０で、第１局と同様に次段へ信号光を伝送する場合は、この波長帯毎に一括増幅した多波長の信号光を合波器で合波し、これらを第１チャンネル束Ｃｈ１と第２チャンネル束Ｃｈ２とに分波し、次の光ファイバ伝送路へ出力する。
【００５７】
図８は、第３実施形態に係る光伝送システム３における各波長域を説明する図である。同図（ａ）は、光増幅器３１３Ｃにより増幅されるＣバンドΛＣの各信号光の波長λＣ，１〜λＣ，Ｍを示す。同図（ｂ）は、光増幅器３１３Ｌにより増幅されるＬバンドΛＬの各信号光の波長λＬ，１〜λＬ，Ｎを示す。同図（ｃ）は、光分波器３１５より出力される第１チャンネル束Ｃｈ１の各信号光の波長λＣ，２ｐ＋１およびλＬ，２ｑ＋１を示す。同図（ｄ）は、光分波器３１５より出力される第２チャンネル束Ｃｈ２の各信号光の波長λＣ，２ｐ＋２およびλＬ，２ｑ＋２を示す。ただし、ｐは０以上(Ｍ／２)未満の各整数であり、ｑは０以上(Ｎ／２)未満の各整数である。
【００５８】
この図に示されるように、一方の光増幅器３１３Ｃは、或る所定波長より短いＣバンドΛＣ（波長λＣ，１〜λＣ，Ｍを含む）を一括増幅し、一方の光増幅器３１３Ｌは、この所定波長より長いＬバンドΛＬ（波長λＬ，１〜λＬ，Ｎを含む）を一括増幅する。したがって、光増幅器３１３Ｃおよび光増幅器３１３Ｌそれぞれは、増幅すべきバンドに応じて適切な構成のものとすることができ、そのバンドの信号光を高効率に増幅することができる。
【００５９】
また、光分波器３１５は、波長λＣ，１〜λＣ，ＭおよびλＬ，１〜λＬ，Ｎの信号光を入力して、不連続な複数の部分波長域を含む第１チャンネル束Ｃｈ１（波長λＣ，１，λＣ，３，λＣ，５，λＣ，７，λＬ，１，λＬ，３，λＬ，５およびλＬ，７を含む）と、これらの間にある他の不連続な複数の部分波長域を含む第２チャンネル束Ｃｈ２（波長λＣ，２，λＣ，４，λＣ，６，λＣ，８，λＬ，２，λＬ，４，λＬ，６およびλＬ，８を含む）とに分波して、第１チャンネル束Ｃｈ１の信号光を光ファイバ伝送路３３１に送出するとともに、第２チャンネル束Ｃｈ２の信号光を光ファイバ伝送路３３２に送出する。したがって、特に高密度ＷＤＭ光伝送を行うときに、隣接する信号光波長間における非線形劣化を回避することができる。
【００６０】
次に、第３実施形態に係る光伝送システム３の動作を説明するとともに、第３実施形態に係る光伝送方法についても説明する。第１局３１０内の各光源部３１１Ｃ，ｍより出力された波長λＣ，ｍの信号光は、光合波器３１２Ｃにより合波されて、光増幅器３１３Ｃにより一括増幅される。また、各光源部３１１Ｌ，ｎより出力された波長λＬ，ｎの信号光は、光合波器３１２Ｌにより合波されて、光増幅器３１３Ｌにより一括増幅される。光増幅器３１３Ｃにより増幅された波長λＣ，１〜λＣ，Ｍの信号光、および、光増幅器３１３Ｌにより増幅された波長λＬ，１〜λＬ，Ｎの信号光は、光合波器３１４により合波された後に、光分波器３１５により第１チャンネル束Ｃｈ１と第２チャンネル束Ｃｈ２とに分波されて、第１チャンネル束Ｃｈ１の信号光が光ファイバ伝送路３３１へ送出され、第２チャンネル束Ｃｈ２の信号光が光ファイバ伝送路３３２へ送出される。光ファイバ伝送路３３１を伝搬した第１チャンネル束Ｃｈ１の信号光、および、光ファイバ伝送路３３２を伝搬した第２チャンネル束Ｃｈ２の信号光それぞれは、第２局３２０に到達して、この第２局３２０において合波された後に一括増幅され、例えば、チャンネル束ごとに分波され後段の光ファイバ伝送路へ送出される。受信される信号は、第２局３２０内で、合波せずに、或いは、合波した後に、増幅し、波長毎に分波されて受信される。
【００６１】
第３実施形態に係る光伝送システム３および光伝送方法は、第１実施形態のものが奏する効果と同様の効果を奏するほか、以下の効果をも奏する。すなわち、第３実施形態では、ＣバンドΛＣの波長λＣ，１〜λＣ，Ｍの信号光を増幅するＣバンド用光増幅器３１３Ｃが設けられるとともに、ＬバンドΛＬの波長λＬ，１〜λＬ，Ｎの信号光を増幅するＬバンド用光増幅器３１３Ｌも設けられていることにより、信号光波長帯域が拡大されて、より広い波長域の大容量の情報を伝送することができる。また、光増幅器３１３Ｃおよび光増幅器３１３Ｌそれぞれは、増幅すべきバンドに応じて適切な構成のものとすることができ、そのバンドの信号光を高効率に増幅することができる。さらに、光分波器３１５により、不連続な複数の部分波長域を含む第１チャンネル束Ｃｈ１と、これらの間にある他の不連続な複数の部分波長域を含む第２チャンネル束Ｃｈ２とに分波されて、第１チャンネル束Ｃｈ１の信号光が光ファイバ伝送路３３１に送出されるとともに、第２チャンネル束Ｃｈ２の信号光が光ファイバ伝送路３３２に送出される。したがって、特に高密度ＷＤＭ光伝送を行うときに、隣接する信号光波長間における非線形劣化を回避することができる。
【００６２】
図７では、光増幅器３１３Ｃと光増幅器３１３Ｌにより増幅されて出力された光信号は、一旦、光合波器３１４へ出力された後に、光分波器３１５に入力されるとなっているが、光合波器３１４と光分波器３１５の順番を入れ替えてもよい。光分波器として、２つのインターリーバを用い、光増幅器３１３Ｃからの信号光をインターリーバ１で、波長域Λc1（波長λＣ，１，λＣ，３，・・，λＣ，２ｐ＋１）と波長域Λc2（波長λＣ，２，λＣ，4，・・，λC，2p＋2）に分離し、光増幅器３１３Lからの信号光をインターリーバ２で、波長域ΛL1（波長λL，１，λL，３，・・，λL，２q＋１）と波長域ΛL2（波長λL，２，λL，4，・・，λL，2q＋2）に分離する。その後、分波され信号光を、２つの合波器を用い、波長域Λc1の信号光と波長域ΛL1の信号光とを合波器１で合波し、波長域Λc２の信号光と波長域ΛL２の信号光とを合波器２で合波し、それぞれ、光ファイバ伝送路３３１，３３２へ出力される。なお、合波器１、２で合波される信号光は、波長域Λc1の信号光と波長域ΛL２の信号光の組合せと波長域Λc２の信号光と波長域ΛL1の信号光の組合せであっても良い。
【００６３】
中継局に相当する第２局３２０では、図６と同様に、複数の光ファイバ伝送路からの信号光を一括増幅するが、それぞれの信号光は、波長域が、ＣバンドとＬバンドを含んでいることで、図６と相違する。図６と同様に後続の光ファイバ伝送路へ増幅した信号光を伝送するためには、光ファイバ伝送路３３１，３３２からの光信号光を、一旦、分波器を使って、それぞれの光ファイバ伝送路からのＣバンド、Ｌバンドに分波し、Ｃバンド、Ｌバンド毎に、光ファイバ伝送路３３１，３３２からの光信号光を合波するという対応を行うことが必要となる。こうして、バンド毎に合波された光信号は、バンド毎に、一括増幅され、図７と同様に、合波され、インターリーバで分波されて、異なるチャンネル側を形成し、チャンネル束ごとに異なる光ファイバ伝送路へ出力される。
【００６４】
なお、第１の実施形態、第２の実施形態、第３の実施形態は、ＣバンドまたはＬバンドに限らず、他のバンド、例えば、Ｓバンドであっても適用可能であり、適用される波長域は、Ｓバンド、Ｃバンド、Ｌバンドと複数のバンドにまたがる波長域であっても良い。また、ある伝送路区間では、光ファイバ伝送路ごとに異なる波長域の信号光を伝送し、他の伝送路区間では、光ファイバ伝送路ごとにインターリーバで分波した異なるチャンネル束の信号光を伝送しても良い。
【符号の説明】
【００６５】
１〜３…光伝送システム、１１０…第１局、１１１…光源部、１１２…光合波器、１１３…光増幅器、１１４…光分波器、１２０…第２局、１２１…光合波器、１２２…光増幅器、１３１，１３２…光ファイバ伝送路、２１０…第１局、２１１…光源部、２１２…光合波器、２１３…光増幅器、２１４…光分波器、２１５…パス切替器、２２０…第２局、２２１…光合波器、２２２…光増幅器、２２３…光分波器、２２４…光合波器、２２５…光増幅器、２２６…光分波器、２２７…受光部、２３１〜２３３…光ファイバ伝送路、３１０…第１局、３１１…光源部、３１２…光合波器、３１３…光増幅器、３１４…光合波器、３１５…光分波器、３２０…第２局、３３１，３３２…光ファイバ伝送路。
【図１】
2010206701.tif 000003
【図２】
2010206701.tif 000004
【図３】
2010206701.tif 000005
【図４】
2010206701.tif 000006
【図５】
2010206701.tif 000007
【図６】
2010206701.tif 000008
【図７】
2010206701.tif 000009
【図８】
2010206701.tif 000010